(57)【要約】【課題】収納箱に収納された食品包装用の巻回ラップフィルムの取扱いを容易にする補助具を提供する。【解決手段】収納箱３０に着脱自在に設けられ、収納箱の前壁３１ａと巻回ラップフィルム２０との間に垂直方向に配置される板状の垂直板部１１と、垂直板部１１の上端から、後方水平方向に延びる水平板部１２と、水平板部１２の前端から下方斜め前方に延び、上面に巻回ラップフィルム２０を位置させる下向傾斜板部１３とを備える。下向傾斜板部１３の中央下端部に、観音開き状に設けられた第一扉部と第二扉部とによって開閉し、人差し指が通過できる大きさで下端が開放された切欠部１４を形成する。下向傾斜板部１３の上面に位置する巻回ラップフィルム２０の先端部を、切欠部１４を通過できる人差し指と、切欠部１４の上側に位置する親指とで抓んで引き出す。【選択図】  図３
0003222221.tif 000002
【実用新案登録請求の範囲】
【請求項１】
ラップフィルムを収める横長の長方形箱本体の後壁の上端に前記上端を折目として揺動可能に変位し且つ前記長方形箱本体の前及び上を覆うＬ型蓋体を折目で連結すると共に前記Ｌ型蓋体の前側下端縁部に切断刃を設けて収納箱を形成し、
箱本体の前壁の後面に沿って押込まれる垂直板部の上端から後方に延びる水平板部と，垂直板部の上端から下向凹部付連結部を介して下向傾斜板部を設け、垂直板部と水平板部に下向傾斜板部とによって補助具を構成し、
前下向傾斜板部の下縁中程に、上端部に凸型の円弧形状部を有する切欠部を設け、少なくとも切欠部下部を左右から塞ぐ前開きの第一扉部及び第二扉部を設け、
Ｌ型蓋体を開いた状態で前壁の後面に沿って垂直板部が下向きに押し下げた状態でセットされ、Ｌ型蓋体を閉じた状態で、切欠部の下端から若干上に切断刃が位置する如く構成したことを特徴とする巻回ラップフィルムセット製品。
【請求項２】
請求項１に記載の考案における補助具が、硬質合成樹脂の一体成型品であることを特徴とする請求項１に記載の巻回ラップフィルムセット製品。
【請求項３】
請求項２に記載の考案において、補助具を、一枚の硬質合成樹脂板を加熱折曲げ成形したことを特徴とする請求項１に記載の巻回ラップフィルムセット製品。
【請求項４】
前下向傾斜板部の左右両端下部裏面に、箱本体の前壁の表面壁面に当接可能な突片部を突設させたことを特徴とする請求項２に記載の巻回ラップフィルムセット製品。
【考案の詳細な説明】
【技術分野】
【０００１】
本考案は、食品包装用の巻回ラップフィルムを収納した収納箱に着脱自在に設けられ、巻回ラップフィルムの引き出しなどの取扱いを容易にしたセット製品に関するものである。
【背景技術】
【０００２】
図１０乃至図１３を参考にして従来例を説明する。例えば特許文献１には、巻回ラップフィルム２０を後側から嵌込むカートン製略コ字状ケース６０の前上縁より前下向の傾斜連結部６３を設け、該傾斜連結部６３の中央下縁に四角な切欠穴６４が設けてある。傾斜連結部６３の表面には、粘着塗料層１９が設けられ、巻戻したラップフィルム２０が付着されている。箱本体３１の後壁３１ｃの上縁に折目によって後端が接続されたＬ形蓋体３２の前下端の切断刃３３が、人手によって下後方に押付けられたとき、ラップフィルム２０に食い込み、ラップフィルム２０の自由端を抓んで引張って切取るようになっている。
【先行技術文献】
【特許文献】
【０００３】
【特許文献１】実用新案登録第３２０３６８１号公報
【考案の概要】
【考案が解決しようとする課題】
【０００４】
こうした食品包装用の巻回ラップフィルムは透明で極めて薄いため、その前端部を指で摘んで引き出す作業が厄介である。また、一度、引き出して使用した後の巻回ラップフィルムが巻き戻ってしまい、その前端部が巻回ラップフィルムの本体部分（円筒状部分）に付着してしまうことも多々ある。その場合、前端部を指で摘んで引き出す必要があるが、その前端部を視認することが困難であり、また摘むことも困難であるため、再度の引き出し作業も極めて厄介である。
【０００５】
このような引き出し及び巻き戻りの問題を解決するために最近では収納箱の前面に糊面部を設け、この糊面部に引き出した巻回ラップフィルムの前端部を貼り付けておくといった手段も創案されている。
【０００６】
しかし、この従来技術の手段では、糊面部の接着力が時間の経過と共に低下するため、その効果には自ずと限界があり、問題を根本的に解決することができない。
【０００７】
本考案はこうした問題に鑑み創案されたもので、収納箱に収納された食品包装用の巻回ラップフィルムの引き出しを含めた全般的な取扱いを容易にすることのできる取扱装置を提供することを課題とする。
【課題を解決するための手段】
【０００８】
図１乃至図９を参考にして説明する。請求項１に記載の巻回ラップフィルムセット製品１は、ラップフィルム２０を収める横長の長方形箱本体３１の後壁３１ｃの上端に前記上端を折目として揺動可能に変位し且つ前記長方形箱本体の前及び上を覆うＬ型蓋体３２を折目３１ｅで連結すると共にＬ型蓋体３２の前下端縁に切断刃３３を設けて収納箱３０を形成し、箱本体３１の前壁３１ａの後面に沿って押込まれる垂直板部１１の上端から後方に延びる水平板部１２と，垂直板部１１の上端から下向凹部１７付連結部１８を介して下向傾斜板部１３を設け、垂直板部１１と水平板部１２に下向傾斜板部１３とによって補助具１０を構成し、前下向傾斜板部１３の下縁中程に、上端部に凸型の円弧形状部を有する切欠部１４を設け、少なくとも切欠部１４下部を左右から塞ぐ前開きの第一扉部１５及び第二扉部１６を設け、Ｌ型蓋体３２を開いた状態で前壁３１ａの後面に沿って垂直板部１１を下向きに押し下げた状態でセットされ、Ｌ型蓋体３２を閉じた状態で、切欠部１４の下端から若干上に切断刃３３が位置する如く構成したものである。
【０００９】
請求項２に記載の考案は、請求項１に記載の考案における補助具１０が、硬質合成樹脂の一体成型品であることを特徴とする請求項１に記載の巻回ラップフィルムセット製品である。
【００１０】
請求項３に記載の考案は、請求項２に記載の考案において、補助具１０を、一枚の硬質合成樹脂板を加熱折曲げ成形したことを特徴とする請求項１に記載の巻回ラップフィルムセット製品である。
【００１１】
請求項４に記載の考案は、請求項２に記載の考案において、前下向傾斜板部１３の左右両端下部裏面に、箱本体の前壁の表面壁面に当接可能な突片部１３ｂを突設させたことを特徴とする請求項２に記載の巻回ラップフィルムセット製品である。
【考案の効果】
【００１２】
本考案では、巻取ラップフィルムセット製品１を合成樹脂としたので、カートン製の従来品より寿命が長く、ラップフィルム単位で新品のものを交換できるので、結果的に安くなる。又、従来品ではラップフィルムの切欠部６４の裏面側が下向傾斜板部の前面に接触して、ラップフィルムに皺を生じることがあったが、本考案においては、第一扉部１５と第二扉部１６により皺が発生しない。
【図面の簡単な説明】
【００１３】
【図１】本考案の実施形態に係る巻回ラップフィルム取扱装置を備えた巻回ラップフィルム製品を示す斜視図である。
【図２】箱本体の展開正面図である。
【図３】図１のＸ−Ｘ線断面図であるが、粗面部は省略してある。
【図４】図３の分解略図で、（ａ）が収納箱の略図で、（ｂ）が巻回ラップフィルムの略図で、（ｃ）が垂直板部の略図である。
【図５】本考案の実施形態に係る巻回ラップフィルム取扱装置の正面図である。
【図６】補助具の右斜め前からの斜視図である。
【図７】補助具の左斜め後からの斜視図である。
【図８】補助具の開口部を示す正面図であり、（ａ）は、第一扉部及び第二扉部が閉まった状態を示し、（ｂ）は第一扉部及び第二扉部が開いた状態を示す。
【図９】補助具の開口部の機能を示す側面説明図である。
【図１０】従来例における全体の斜視図である。
【図１１】従来例における補助具の斜視図である。
【図１２】従来例における図１０のＹ−Ｙ線切面図である。
【図１３】従来例における図１２の分解図で、（ａ）が収納箱の略図で、（ｂ）が巻回ラップフィルムの略図で、（ｃ）が内装部材の略図である。
【考案を実施するための形態】
【００１４】
本考案に係る巻回ラップフィルムセット製品１は、ラップフィルム２０を収める横長の長方形箱本体３１の後壁３１ｃの上端に前記上端を折目として揺動可能に変位し且つ前記長方形箱本体の前及び上を覆うＬ型蓋体３２を折目３１ｅで連結すると共にＬ型蓋体３２の前下端縁に切断刃３３を設けて収納箱３０を形成し、箱本体３１の前壁３１ａの後面に沿って押込まれる垂直板部１１の上端から後方に延びる水平板部１２と，垂直板部１１の上端から下向凹部１７付連結部１８を介して下向傾斜板部１３を設け、垂直板部１１と水平板部１２に下向傾斜板部１３とによって補助具１０を構成し、前下向傾斜板部１３の下縁中程に、上端部に凸型の円弧形状部を有する切欠部１４を設け、少なくとも切欠部１４下部を左右から塞ぐ前開きの第一扉部１５及び第二扉部１６を設け、Ｌ型蓋体３２を開いた状態で前壁３１ａの後面に沿って垂直板部１１を下向きに押し下げた状態でセットされ、Ｌ型蓋体３２を閉じた状態で、切欠部１４の下端から若干上に切断刃３３が位置する如く構成したものである。
【００１５】
本考案に係る巻回ラップフィルムセット製品１の実施形態を、図１乃至図９を参照して説明する。この巻回ラップフィルムセット製品１は、収納箱３０に収納された食品包装用の巻回ラップフィルム２０の取扱いを容易にするために、当該収納箱３０に、その長手方向の略全長にわたって着脱自在に設けられるものである。なお、巻回ラップフィルム２０は、芯材２１に巻回される。
【００１６】
収納箱３０は、箱本体３１と蓋体３２とで構成される。箱本体３１は、前壁３１ａ、底壁３１ｂ、後壁３１ｃ及び一対の側壁３１ｄを備える。蓋体３２は、後端が後壁３１ｃの上端に変角可能な折目部３１eを介して連接された水平蓋片３２ｂと、上端がその水平蓋片３２ｂの前端に連結された略垂直蓋片３２ａを備える。略垂直蓋片３２ａの下端には巻回ラップフィルム２０を切断するための切断刃３３が取り付けられる。
【００１７】
本実施形態の前記収納箱３０内に一部を挿入させた形態でセットする補助具１０は、図３や図６に示すように、巻回ラップフィルムセット製品１は、垂直板部１１、水平板部１２、下向傾斜板部１３及び傾斜連結部１８を備える。これらの部材は、アクリル一体のみか，或いはアクリルと塩化ビニール，ポリエチレン，ポリエチレンテレフタレート，ポリプロピレンなど二つの樹脂材との組み合わせで成形することができる。
【００１８】
垂直板部１１は、収納箱３０の前壁３１ａの後側と巻回ラップフィルム２０の前側との間に垂直方向に配置される板状である。この垂直板部１１の高さは、限定されるものではないが、収納箱３０の高さとほぼ等しく（あるいは僅かに短く）設定することができる。水平板部１２は、垂直板部１１の上端から、収納箱３０の水平蓋片３２ｂの直下で、後方水平方向に延びる板状である。この水平板部１２の長さも、限定されるものではないが、収納箱３０の側壁３１ｄの前後方向長さの約１／４に設定することができる。
【００１９】
下向傾斜板部１３は、水平板部１２の前端から下方斜め前方に延びて、収納箱３０の前壁３１ａとの間に、下方から人差し指Ｆ１が進入できる背面空間部Ｓを形成している。下向傾斜板部１３の上面には巻回ラップフィルム２０が位置する。なお、下向傾斜板部１３の傾斜角度は、垂直板部１１に対して１５〜２０度とする。また、下向傾斜板部１３の左右両端の後面には、背面空間部Ｓの確保と収納箱からの離脱を防止するため突片部１３ｂを設ける。
【００２０】
傾斜連結部１８は、水平板部１２と下向傾斜板部１３との間に両者を連結する状態で設けられる。傾斜連結部１８は傾斜状態で設けられ、その垂直板部１１に対する傾斜角度は下向傾斜板部１３よりも鈍角である。
【００２１】
下向傾斜板部１３の中央下端部には、図５に示すように観音開き状に設けられた第一扉部１５と第二扉部１６とによって開閉し、人差し指Ｆ１が通過できる大きさで下端が開放された切欠部１４を形成している。第一扉部１５と第二扉部１６は共に、下向傾斜板部１３の中央下端部に切欠き加工を施し、第一扉部１５及び第二扉部１６のそれぞれの基端部に、肉薄で、樹脂材が備える弾性力によって機能する薄肉ヒンジ部Ｈを形成して観音開き状に開閉するように設定している。
【００２２】
また、第一扉部１５と第二扉部１６は、ラップフィルム２０をカットする際の切断刃３３がその上面に位置するように配置している。こうすることにより、下向傾斜板部１３の上下方向の長さを収納箱３０の前壁３１ａの上下方向の長さよりも短くすることができる。
【００２３】
この切欠部１４の上端部には、第一扉部１５及び第二扉部１６が閉じた状態においても開放状態となる開放部１４ａを形成している。この開放部１４ａは、第一扉部１５及び第二扉部１６のそれぞれの上端部を相互逆方向に斜めに切欠き、扉の上部の角は円く且つ上端は円弧状に切欠きしている。
【００２４】
また、図４（ｃ）に示すように本実施形態では水平板部１２，傾斜連結部１８，下向傾斜板部１３の上部，第一扉部１５，第二扉部１６の上面及び垂直板部１１の内面中央部に巻回ラップフィルム２０との摩擦抵抗をより少なくするために面の粗い粗面部Ｒａ，Ｒｂ，Ｒｃ，Ｒｄ，Ｒｅとしている。粗面部にする方法として格子状の切込みを多数形成することによって形成しているが、この方法に限定されるものではなく、例えば多数の微細突起を形成して粗面部としてもよい。
【００２５】
本実施形態による巻回ラップフィルムセット製品１は次のようにして使用することができる。
【００２６】
まず、図３に示すように収納箱３０に巻回ラップフィルム２０を入れた後、補助具１０を取り付ける（図１及び図３参照）。すなわち、収納箱３０の蓋体３２を開いた状態で、補助具１０の垂直板部１１を、収納箱３０に収納されている巻回ラップフィルム２０と前壁３１ａとの間に挿入し、蓋体３２を閉じる。これにより、補助具１０の水平板部１２は蓋体３２の水平蓋片３２ｂの直下に位置し、下向傾斜板部１３は前壁３１ａの上端から前方斜め下方に延びた状態で位置する。
【００２７】
この状態で、ラップフィルム２０の先端部２０ａを下向傾斜板部１３の上面に位置させる。なお、この状態では、蓋体３２の垂直蓋片３２ａの下端に取付けられた切断刃３３が、下向傾斜板部１３の上面に位置するラップフィルム２０の上面に接触する。
【００２８】
さらにこの状態で、所望長さの巻回ラップフィルム２０を引き出すには、図９に示すように人差し指Ｆ１を背面空間部Ｓへその下方から進入させて、切欠部１４の下側に位置させると共に、親指Ｆ２を切欠部１４の上側に位置させて、下向傾斜板部１３の上面に位置する巻回ラップフィルム２０の先端部２０ａを挟持する。この際、人差し指Ｆ１と親指Ｆ２を切欠部１４の開放部１４ａに位置させることによって、巻回ラップフィルム２０を容易に挟持することができる。
【００２９】
人差し指Ｆ１と親指Ｆ２とで巻回ラップフィルム２０を挟持した状態で、当該巻回ラップフィルム２０を斜め下方に引っ張る（図９参照）。この際、人差し指Ｆ１が第一扉部１５と第二扉部１６を外側へ押圧することになり、その押圧力によって第一扉部１５と第二扉部１６はそれぞれの肉薄部を軸として開き、閉鎖状態（図８（ａ））から開放状態（図８（ｂ））となる。これにより、巻回ラップフィルム２０を、人差し指Ｆ１と親指Ｆ２とで挟持したままの状態を維持しながらラップフィルム２０を引き出すことができる。
【００３０】
巻回ラップフィルム２０を所望長さ引き出した後、そこから人差し指Ｆ１と親指Ｆ２を離し、蓋体３２の垂直蓋片３２ａを内方へ押圧して、切断刃３３をラップフィルム２０の上面に押し付ける。この際、ラップフィルム２０の下面を下向傾斜板部１３で支持する。その後、通常通り、ラップフィルム２０を左右方向へ動かして当該切断刃３３でカットする。
【００３１】
なお、第一扉部１５と第二扉部１６は、人差し指Ｆ１が通過した後、その弾性復帰力によって元の閉鎖状態（図８（ａ））に戻る。また、第一扉部１５と第二扉部１６は、その外側に、巻回ラップフィルム２０をカットする際の切断刃３３が位置するように配置しているので、巻回ラップフィルム２０の切断される部分の全幅を収納箱３０の前壁３２ａ（切断刃３３）と補助具１０の下向傾斜板部１３とで挟み付けることができる。これにより、巻回ラップフィルム２０をその幅方向全長にわたって容易にカットすることができる。
【００３２】
所望長さがカットされた後の巻回ラップフィルム２０の先端部２０ａは、本実施形態による補助具１０の上面に位置した状態となる。この際、水平板部１２と傾斜連結部１８の上面には粗面部Ｒａ、Ｒｂを形成しているので、巻回ラップフィルム２０との間で摩擦抵抗は生じないが、下向傾斜板部１３の上部以外は祖面でないため摩擦抵抗は大きく、不意の力で巻戻ってしまうという事態を未然に防止することができる。
【００３３】
本実施形態に係る巻回ラップフィルムセット製品１は、以下の作用効果を発揮する。
【００３４】
（イ）人差指Ｆ１が通過できる大きさで下端が開放された切欠部１４とそれに連通する背面側空間部Ｓを形成しているので、巻回ラップフィルム２０の先端部２０ａを、背面側空間部Ｓを介して開口部１４を通過できる人差し指Ｆ１と、開口部１４の外側に位置する親指Ｆ２とでつまんで、ラップフィルム前端部を蓋体３２から遠ざける方向に引張り出すことが出来る。
【００３５】
（ロ）切欠部１４に開放部１４ａを形成しているので、ラップフィルム２０をより容易に挟持することができる。これにより、ラップフィルム２０の引き出しをさらに容易なものとすることができる。
【００３６】
（ハ）傾斜連結部１８を設けているので、水平板部１２と下向傾斜板部１３との間に略円弧部を形成することができ、ラップフィルム２０を水平板部１２から下向傾斜板部１３へ円滑に滑らせることができ、ラップフィルム２０の引き出しを、より容易なものとすることができる。
【００３７】
（ニ）第一扉部１５と第二扉部１６は、人差し指Ｆ１が通過した後に薄肉ヒンジ部Ｈの弾性力によって元の閉鎖状態に戻り、かつ、その上側に、ラップフィルム２０をカットする際の切断刃３３が位置するように配置しているので、ラップフィルム２０をその全長にわたって容易にカットすることができる。
【００３８】
（ホ）水平板部１２の上面，傾斜連結部１８の上面，下向傾斜板部１３の上部以外の前面は祖面部としていないためラップフィルム２０との摩擦抵抗を高めることができる。このことにより、ラップフィルム２０の不意の力による巻戻りを防止することができる。
【００３９】
（へ）折目３１ｅを中心軸にして蓋体３２を上向きに開いた状態で巻回ラップフィルム製品１０を箱本体３１内へ挿入し、次いで補助具１０の垂直板部１１を下向きに挿入するが、この際、垂直板部１１の内面の中央部を粗面部Ｒｅにすることにより、ラップフィルム２０を引き出す際の回転による摩擦抵抗を下げることができる。
【００４０】
補助具１０の特徴は次の通りである。
・収納箱３０への着脱が容易にできる。
・収納箱３０の両端を挟み込むことで固定されている。
・ラップフィルム２０が張り付く部分と張り付かない部分の２つに分かれている。
・最初の一箱を使い切った後、取り出し、水洗、乾燥後繰り返し使用できる。
・例え収納箱３０を濡れ手で繰り返し掴んでも、補助具１０が型枠の役目を果たしているため、水分による収納箱３０へのゆがみが生じない（即ち、切断への影響を防いでくれる）。
【００４１】
補助具１０を取付けた場合の効果は次の通りである。
・最初の切断後ラップフィルム２０が補助具１０に張り付いているため、巻戻りもしないし、次に引き出すラップフィルム２０が掴み易い。
・ラップフィルム３０は切断の時、金属製の切断歯３３と補助具１０の硬いプラスチックの間に挟まれているため、間隔は狭く、空間部分もほとんどないため切断しやすい。
【００４２】
なお、市販あるいは製造したラップ製品（巻回ラップフィルム２０と収納箱３０とを組み合わせた製品）と、本実施形態に係る補助具１０とを組み合わせることによって、巻回ラップフィルム製品を構成することができる（図１及び図２参照）。
【符号の説明】
【００４３】
１        巻回ラップフィルムセット製品
１０      補助具
１１      垂直板部
１２      水平板部
１３      下向傾斜板部
１３ａ    下向溝
１３ｂ    突片部
１４      切欠部
１４ａ    開口部
１５      第一扉部
１６      第二扉部
１７      下向凹部
１８      傾斜連結部
１９      粘着塗料
２０      ラップフィルム
２０ａ    先端部
２１      芯材
３０      収納箱
３１      箱本体
３１ａ    前壁
３１ｂ    底壁
３１ｃ    後壁
３１ｄ    側壁
３１ｅ    折目
３２      Ｌ形蓋体
３２ａ    前蓋片部
３２ｂ    上蓋片部
３３      切断刃
６０      略コ字状ケース
６３      傾斜連結部
６４      切欠部
Ｆ１      人差し指
Ｆ２      親指
Ｈ        薄肉ヒンジ部
Ｒａ      水平板部外面の粗面部
Ｒｂ      傾斜連結部外面の粗面部
Ｒｃ      傾斜板部外面の粗面部
Ｒｄ      扉部外面の粗面部
Ｒｅ      垂直板部内面の粗面部
Ｓ        背面側空間部  
【図１】
0003222221.tif 000003
【図２】
0003222221.tif 000004
【図３】
0003222221.tif 000005
【図４】
0003222221.tif 000006
【図５】
0003222221.tif 000007
【図６】
0003222221.tif 000008
【図７】
0003222221.tif 000009
【図８】
0003222221.tif 000010
【図９】
0003222221.tif 000011
【図１０】
0003222221.tif 000012
【図１１】
0003222221.tif 000013
【図１２】
0003222221.tif 000014
【図１３】
0003222221.tif 000015
【手続補正書】
【提出日】令和1年5月9日(2019.5.9)
【手続補正１】
【補正対象書類名】明細書
【補正対象項目名】００１２
【補正方法】変更
【補正の内容】
【００１２】
本考案では、巻回ラップフィルムセット製品１を合成樹脂としたので、カートン製の従来品より寿命が長く、ラップフィルム単位で新品のものを交換できるので、結果的に安くなる。又、従来品ではラップフィルムの切欠部６４の裏面側が下向傾斜板部の前面に接触して、ラップフィルムに皺を生じることがあったが、本考案においては、第一扉部１５と第二扉部１６により皺が発生しない。